(57)【要約】【課題】テレビ等を見やすくすることができると共にくつろぎ感を向上させることができる椅子を提供する。【解決手段】背もたれ２の側面にその表面に沿うように引張りワイヤ３９を設ける。倒れピン２５の貫通孔３０に引張りワイヤ３９を通す。引張りワイヤ３９の一端をリンク機構５の支点３７に連結すると共に引張りワイヤ３９の他端を頭部支持部６の連結部４０に連結する。背もたれ２を所定の傾斜角度にまで倒していくにしたがって、リンク機構５の支点３７を頭部支持部６の連結点４０に対して相対的に前側に移動させる。引張りワイヤ３９で頭部支持部６を引張って頭部支持部６が座部１側に近づくように頭部支持部６の傾斜角度が調節され、背もたれ２を所定の傾斜角度以上に倒すと引張りワイヤ３９により倒れピン２５が引張られて倒れ、引張りワイヤ３９による頭部支持部６の引張りが解放されることにより背もたれ２が平坦化する。【選択図】図１
2006204959.tif 000002
【特許請求の範囲】
【請求項１】
座部と背もたれとを備え、背もたれを起立状態と倒した状態との間で回動させることにより背もたれの傾斜角度を調節自在に形成した椅子において、背もたれに頭部支持部を設けると共に背もたれにリンク機構を設け、頭部支持部の側面に倒れピンを設け、背もたれの側面にその表面に沿うように引張りワイヤを設けると共に倒れピンの貫通孔に引張りワイヤを通し、引張りワイヤの一端をリンク機構の支点に連結すると共に引張りワイヤの他端を頭部支持部の連結部に連結し、背もたれを所定の傾斜角度にまで倒していくにしたがって、リンク機構の支点を頭部支持部の連結点に対して相対的に前側に移動させることによって、引張りワイヤで頭部支持部を引張って頭部支持部が座部側に近づくように頭部支持部の傾斜角度が調節され、背もたれを所定の傾斜角度以上に倒すと引張りワイヤにより倒れピンが引張られて倒れ、引張りワイヤによる頭部支持部の引張りが解放されることにより背もたれが平坦化するように、背もたれの傾斜角度に応じて頭部支持部の傾斜角度を調節自在に形成して成ることを特徴とする椅子。
【請求項２】
肘掛けと足載せ台を備え、座部の前側に足載せ台を配置し、肘掛けの前方にまで足載せ台が位置するように足載せ台を形成して成ることを特徴とする請求項１に記載の椅子。
【請求項３】
足載せ台の幅を背もたれの幅よりも大きく形成して成ることを特徴とする請求項２に記載の椅子。
【発明の詳細な説明】
【技術分野】
【０００１】
本発明は、マッサージ機などに利用されるリクライニング式の椅子に関するものである。
【背景技術】
【０００２】
従来より、臀部を載せて着座するための座部と、座部の後側に位置し、着座した状態で上半身を凭れるための背もたれと、座部の両方の横側に位置し、着座した状態で肘や腕を載せるための肘掛けとを備えた椅子において、背もたれを起立状態と倒した状態との間で回動させて座部に対する背もたれの傾斜角度を調節自在に形成したリクライニング式の椅子が提案されている（例えば、特許文献１参照）。この椅子では背もたれを下方に回動させて倒すことによりリクライニングさせ、座部に対する背もたれの傾斜角度を大きくすることによって、身体が着席した状態から横たわっている状態に近くなり、くつろぎ感を得ることがことができるものである。
【０００３】
また、上記のようなリクライニング式の椅子において、座部の前側に位置し、着座した状態で足を床面から浮かせて伸ばして載せるための足載せ台を備えたものも提案されている。この椅子では、背もたれを後側に倒す（リクライニングする）ことによって、足載せ台が無い場合に比べて、身体がさらに横たわった状態に近くなり、くつろぎ感が増加するものである。
【０００４】
しかし、上記のようなリクライニング式の椅子において、身体が通常の着座状態から少し横たわった状態となるように背もたれを少し（小さい傾斜角度で）リクライニングさせた状態では、テレビ等を見やすくするなどの理由で背もたれの頭部を支持する部分で頭部を持ち上げる（座部側に近づける）ことができ、逆に、身体がほぼ完全に横たわった状態となるように背もたれを大きく（大きな傾斜角度で）リクライニングさせた状態では、くつろぎ感を向上させるなどの理由で頭部を支持する部分を背もたれの他の部分と平坦化（フラットに）することができるように、背もたれの傾斜角度に応じて頭部を支持する部分の傾斜角度が調節可能なものが求められていた。
【０００５】
さらに、足載せ台を具備する上記の椅子において、背もたれを大きくリクライニングさせた状態で、座部と背もたれと足載せ台がほぼ平坦化するフルフラット状態にした場合は、くつろぎ感が増して寝入ってしまうことがあるが、その際、足の動きが大きいために足載せ台から足が外れてしまうことがあった。そこで、足載せ台の大きさを肘掛けの間の寸法と同等以上に広げることで、くつろぎ感が増すと同時に足が外れることが少なく足の動きの制約が少ない椅子が求められていた。また、人間の着座姿勢動作・背姿勢動作から見て足の動きは背の動きよりも大きいにも関わらず、デザイン上等の問題から足載せ台の幅が背もたれの幅よりも大きいものはなかった。
【特許文献１】特開昭６１−１０９５０６号公報
【発明の開示】
【発明が解決しようとする課題】
【０００６】
本発明は上記の点に鑑みてなされたものであり、テレビ等を見やすくすることができると共にくつろぎ感を向上させることができる椅子を提供することを目的とするものである。
【０００７】
さらに本発明は、足載せ台から足を外れにくくすることによって、くつろぎ感を増加させることができると共に足の動きの制約を少なくすることができる椅子を提供することを目的とするものである。
【課題を解決するための手段】
【０００８】
本発明の請求項１に係る椅子は、座部１と背もたれ２とを備え、背もたれ２を起立状態と倒した状態との間で回動させることにより背もたれ２の傾斜角度を調節自在に形成した椅子において、背もたれ２に頭部支持部６を設けると共に背もたれ２にリンク機構５を設け、頭部支持部６の側面に倒れピン２５を設け、背もたれ２の側面にその表面に沿うように引張りワイヤ３９を設けると共に倒れピン２５の貫通孔３０に引張りワイヤ３９を通し、引張りワイヤ３９の一端をリンク機構５の支点３７に連結すると共に引張りワイヤ３９の他端を頭部支持部６の連結部４０に連結し、背もたれ２を所定の傾斜角度にまで倒していくにしたがって、リンク機構５の支点３７を頭部支持部６の連結点４０に対して相対的に前側に移動させることによって、引張りワイヤ３９で頭部支持部６を引張って頭部支持部６が座部１側に近づくように頭部支持部６の傾斜角度が調節され、背もたれ２を所定の傾斜角度以上に倒すと引張りワイヤ３９により倒れピン２５が引張られて倒れ、引張りワイヤ３９による頭部支持部６の引張りが解放されることにより背もたれ２が平坦化するように、背もたれ２の傾斜角度に応じて頭部支持部６の傾斜角度を調節自在に形成して成ることを特徴とするものである。
【０００９】
本発明の請求項２に係る発明は、請求項１において、肘掛け３と足載せ台７を備え、座部１の前側に足載せ台７を配置し、肘掛け３の前方にまで足載せ台７が位置するように足載せ台７を形成して成ることを特徴とするものである。
【００１０】
本発明の請求項３に係る発明は、請求項２において、足載せ台７の幅を背もたれ２の幅よりも大きく形成して成ることを特徴とするものである。
【発明の効果】
【００１１】
本発明の請求項１に係る発明は、使用状況を考慮して背もたれの傾斜角度を変えて頭部支持部の傾斜角度を調節することができ、使い勝手を向上させることができるものである。また、背もたれを所定の傾斜角度にまで倒した状態では頭部を座部側に近づくように持ち上げることができ、テレビ等を見やすくすることができるものであり、背もたれを所定の傾斜角度以上に倒した場合では背もたれが平坦化することができ、身体がほぼ完全に横たわった状態にすることができてくつろぎ感を向上させることができるものである。
【００１２】
本発明の請求項２、３の発明は、足載せ台の幅が広くなって足載せ台から足を外れにくくすることができ、くつろぎ感を増加させることができると共に足の動きの制約を少なくすることができるものである。
【発明を実施するための最良の形態】
【００１３】
以下、本発明を実施するための最良の形態を説明する。
【００１４】
図２に本発明に対する参考例を示す。この椅子は電動で背もたれ２がリクライニングするものである。座部１はクッション材を具備して形成されるものであって、脚材１０の上に配設されている。脚材１０は金属製のパイプ等で形成されるものであって、上片１１と下片１２で側面視で略つ字状に形成されている。この脚材１０は座部１の下側の左右両側に一つずつ設けられており、座部１は両方の脚材１１に掛け渡すようにして脚材１０の上片１１の上に取り付けられている。また、座部１の前側には足載せ台７が設けられている。足載せ台７は板状のクッション材を具備して形成されるものであって、足載せ台７の一端部が座部１の前端に枢着されている。従って、足載せ台７は座部１の下側に突出する状態と座部１の前側に突出する状態との間で上下に回動自在に形成されている。尚、足載せ台７を回動駆動する装置等は図示を省略している。
【００１５】
背もたれ２はフレーム材（図示省略）の前側にクッション材を設けて形成されるものであり、背もたれ２の下部は座部１の後端に枢着されている。従って、背もたれ２は起立状態と倒した状態との間で上下に回動自在に形成されているものであり、背もたれ２の後側へ倒す（下側に回動させる）度合いを調節することによって、座部１に対する傾斜角度が調節自在に形成されている。尚、図２のものでは、背もたれ２は起立状態で傾斜角度（水平面と背もたれ２の前面との間の角度）が１２０°程度、また倒した状態で傾斜角度が１８０°程度になるように、傾斜角度が調節自在に形成されているが、これに限定されることはなく、背もたれ２の最小の傾斜角度と最大の傾斜角度は任意に設定することができる。
【００１６】
背もたれ２の下端には背もたれ２と座部１の枢着位置よりも下側に突出する連結片１３が設けられており、連結片１３は脚材１０の上片１１よりも下側に突出されている。また、脚材１０の上片１１の下側には背もたれ２を起倒駆動するための背もたれ駆動装置１４が設けられている。背もたれ駆動装置１４はリニアアクチュエータと呼ばれるものであって、モータなどの駆動源１５と駆動装置本体１６とロッド１７ａなどを具備して形成されている。ロッド１７ａは駆動源１５の駆動により駆動装置本体１６に対して出入駆動自在に形成されるものであって、このことにより、背もたれ駆動装置１４が伸縮駆動自在に形成されている。そして、背もたれ駆動装置１４の前端が脚材１０の上片１１の下側に枢着されていると共に、駆動装置本体１６から突出するロッド１７ａの先端が背もたれ２の連結片１３に枢着されている。
【００１７】
肘掛け３は座部１の左右両側に一つずつ配設されるものであって、肘掛け前部材１７と肘掛け後部材１８を連結することによって構成されている。肘掛け前部材１７の後端と肘掛け後部材１８の前端は軸部１９にて枢着されており、肘掛け前部材１７と肘掛け後部材１８は互いに回動自在に形成されている。また、肘掛け前部材１７の前端は座部１の側面の前部に支点４にて枢着されており、肘掛け前部材１７は座部１に対して上下に回動自在に形成されている。さらに、肘掛け後部材１８の後端は背もたれ２の側面の略中央部に支点２０にて枢着されており、肘掛け後部材１８は背もたれ２に対して上下に回動自在に形成されている。
【００１８】
上記のように形成される椅子において、背もたれ２が起立状態である場合、ロッド１７ａが駆動装置本体１６から大きく突出した状態であって、背もたれ駆動装置１４が伸長されている。また、背もたれ駆動装置１４は脚材１０の上片１１に枢着された前端を軸として下側（上片１１から離れる方向）に若干回動している。さらに、背もたれ２の連結片１３は最も下側に回動した状態となっている。そして、背もたれ２を起立状態から下方に回動させて倒れた状態にする、すなわち、背もたれ２をリクライニングするには次のようにして行なう。まず、操作器（図示省略）を操作することにより、背もたれ駆動装置１４の駆動源１５を作動させ、ロッド１７ａを駆動装置本体１６内に収納していく。このようにロッド１７ａが駆動装置本体１６内に収納されていくと、背もたれ駆動装置１４は上片１１に枢着された前端を軸として上側（上片１１に近づく方向）に若干回動していくと共に背もたれ駆動装置１４は収縮していく。また、ロッド１７ａが駆動装置本体１６内に収納されていくと、連結片１３がロッド１７ａで引っ張られて上側に回動していくことになり、この結果、背もたれ２と座部１の枢着位置を軸として背もたれ２を下方に回動させてリクライニングすることができるものである。
【００１９】
また、背もたれ２を倒れた状態（リクライニング状態）から上方に回動させて起立状態にするには次のようにして行なう。まず、操作器を操作することにより、背もたれ駆動装置１４の駆動源１５を作動させ、ロッド１７ａを駆動装置本体１６から突出させていく。このようにロッド１７ａが駆動装置本体１６から突出されていくと、背もたれ駆動装置１４は上片１１に枢着された前端を軸として下側に若干回動していくと共に背もたれ駆動装置１４は伸長していく。また、ロッド１７ａが駆動装置本体１６から突出されていくと、連結片１３がロッド１７ａで押されて下側に回動していくことになり、この結果、背もたれ２と座部１の枢着位置を軸として背もたれ２を上方に回動させて起立状態にすることができるものである。
【００２０】
そして本発明の椅子では駆動装置本体１６からのロッド１７ａの突出長さを調節することによって、背もたれ２の傾斜角度を所望の角度に調節することができるものであり、また、背もたれ２の回動に連動して肘掛け３の高さが変わり、背もたれ２の傾斜角度に応じて肘掛け３の高さの調節を行なうことができるものである。すなわち、背もたれ２が下方に回動すると肘掛け後部材１８の支点２０が下方に移動し、これに伴って、肘掛け後部材１８が支点２０で回動しながら下方に移動することになる。また、肘掛け後部材１８が下方へ移動することにより、軸部１９が下方に移動し、これに伴って、肘掛け前部材１７が軸部１９及び支点４で回動しながら下方に移動することになる。このように背もたれ２を下方に回動（リクライニング）させることによって、これに連動して、肘掛け前部材１７及び肘掛け後部材１８が下方へ移動し、座部１の上面（前面）からの肘掛け３の高さが低くなるように肘掛け３の高さを調節することができるものである。
【００２１】
また、背もたれ２が上方に回動すると肘掛け後部材１８の支点２０が上方に移動し、これに伴って、肘掛け後部材１８が支点２０で回動しながら上方に移動することになる。また、肘掛け後部材１８が上方へ移動することにより、軸部１９が上方に移動し、これに伴って、肘掛け前部材１７が軸部１９及び支点４で回動しながら上方に移動することになる。このように背もたれ２を上方に回動させることによって、これに連動して、肘掛け前部材１７及び肘掛け後部材１８が上方へ移動し、座部１の上面からの肘掛け３の高さが高くなるように肘掛け３の高さを調節することができるものである。
【００２２】
このように、肘掛け前部材１７の後端と肘掛け後部材１８の前端を互いに回動自在に連結することによって肘掛け３を形成し、肘掛け前部材１７の前端を座部１の側面に上下回動自在に連結すると共に肘掛け後部材１８を背もたれ２の側面に上下回動自在に連結することによって肘掛け３を座部１と背もたれ２に取り付けることで、座部１の上面からの肘掛け３（肘掛け後部材１８）の高さを調節自在に形成したので、背もたれ２のリクライニングに連動して肘掛け３（肘掛け後部材１８）の高さを変え、肘掛け３の高さを調節することができるものである。
【００２３】
また上記の椅子では、背もたれ２の傾斜角度を最大にした時、すなわち、背もたれ２を最も下側に位置するまで回動させてリクライニング（フルリクライニング）させた時に、肘掛け３が座部１の上面よりも下側に位置するように肘掛け３の高さが調節自在に形成されている。このように肘掛け３が座部１の上面よりも下側に位置するようにするには、背もたれ２の傾斜角度を最大にした時に、少なくとも軸部１９と支点２０が座部１の上面よりも下側に位置するように、支点４、２０の位置や肘掛け前部材１７及び肘掛け後部材１８の長さなどを設定すれば良い。
【００２４】
このように背もたれ２の傾斜角度を最大にした時に、肘掛け３が座部１の上面よりも下側に位置するように肘掛け３の高さを調節自在に形成したので、背もたれ２を最も下側にリクライニングさせた時に、肘掛け３が座部１の上面よりも上側に突出しないようにすることができるものである。
【００２５】
図１に本発明の椅子の一実施例を示す。この椅子において、座部１、足載せ台７、脚材１０、背もたれ駆動装置１４は図２に示すものと同様に形成されて配設されている。背もたれ２は図１に示すものと同様に、フレーム材（図示省略）の前側にクッション材を設けて形成されるものであるが、背もたれ本体２１と背もたれ本体２１の上側に設けられた頭部支持部６で形成されている。頭部支持部６は椅子に着座したときに身体の頭部の後側に位置して頭部を支持するものであり、背もたれ本体２１の上端に設けた関節部（ヒンジ部）２２を介して頭部支持部６と背もたれ本体２１が連結されている。従って、頭部支持部６は関節部２２を軸として前後（上下）に回動自在に形成されており、このことで、頭部支持部６は背もたれ本体２１に対して傾斜角度が調節自在に形成されている。
【００２６】
頭部支持部６の側面には金属製の倒れピン２５が突出して設けられている。倒れピン２５は図３に示すように、固定部材２６と可動部材２７を具備して形成されている。固定部材２６は略円柱状に形成されるものであって、一方の端面と周面に開口する溝状の切欠部２８が形成されている。また、可動部材２７は略円柱状に形成されるものであって、一方の端面に板状の取付片２９が突出して設けられていると共に周面に開口するように貫通孔３０が設けられている。そして、切欠部２８に取付片２９を差し込むと共に切欠部２８及び取付片２９を厚み方向に貫通するように連結ピン３１を固定部材２６に差し込むことによって、固定部材２６と可動部材２７を連結して倒れピン２５が形成されている。従って、可動部材２７は固定部材２６と真っ直ぐに並ぶ状態と固定部材２６に対してほぼ直角となる状態との間で一定方向に回動自在に形成されている。
【００２７】
このように形成される倒れピン２５は固定部材２６の他方の端面（切欠部２８の開口を設けていない方の端面）を頭部支持部６を構成するフレーム材に溶接などで固着するようにして取り付けられるが、この時、倒れピン２５は固定部材２６の周面における切欠部２８の開口が座部１の方に向くように配置される。従って、可動部材２７は頭部支持部６の側面に対して略垂直に突出する状態と頭部支持部６の前面よりも前側に倒れる状態との間で回動自在に形成されている。
【００２８】
また、背もたれ２の背もたれ本体２１の下部は座部１の後端に枢着されている。従って、背もたれ２は図２のものと同様に起立状態と倒した状態との間で上下に回動自在に形成されている。さらに、背もたれ２の背もたれ本体２１の下端には背もたれ２と座部１の枢着位置よりも下側に突出する連結片１３が設けられており、図２のものと同様に連結片１３には背もたれ駆動装置１４のロッド１７ａの先端が枢着されている。
【００２９】
肘掛け３は座部１の左右両側に一つずつ配設されるものであって、上側に向かって凸曲させて形成されている。肘掛け３の前端は座部１の側面の前部に支点４にて枢着されており、肘掛け３は座部１に対して上下に回動自在に形成されている。また、肘掛け３の後端はリンク機構５を介して背もたれ２に取り付けられている。リンク機構５はリンク材３６とリンク材３６の上端と肘掛け３の後部とを回動自在に連結した支点３７とリンク材３６の下端と背もたれ２の側面とを回動自在に連結する支点３８とで構成されている。
【００３０】
また、背もたれ２の側面にはその表面に沿うように引張りワイヤ３９が設けられている。引張りワイヤ３９は倒れピン２５の貫通孔３０に通されており、また、引張りワイヤ３９の一端はリンク機構５の支点３７に、引張りワイヤ３９の他端は頭部支持部６の前部の略中央部に設けられた連結点４０にそれぞれ連結されている。
【００３１】
このように形成される椅子は、図２に示すものと同様に、背もたれ２が起立状態と倒した状態との間で上下に回動自在に形成されているものであり、背もたれ２の後側へ倒す（下側に回動させる）度合いを調節することによって、座部１に対する傾斜角度が調節自在に形成されている。また、背もたれ２の回動に連動して肘掛け３の高さが変わり、背もたれ２の傾斜角度に応じて肘掛け３の高さの調節を行なうことができるものである。すなわち、背もたれ２が下方に回動すると、リンク機構５が下方に移動し、これに伴って、肘掛け３が支点４で回動しながら下方に移動することになる。このように背もたれ２を下方に回動（リクライニング）させることによって、これに連動して肘掛け３が下方へ移動し、座部１の上面からの肘掛け３の高さが低くなるように肘掛け３の高さを調節することができるものである。また、背もたれ２が上方に回動すると、リンク機構５が上方に移動し、これに伴って、肘掛け３が支点４で回動しながら上方に移動することになる。このように背もたれ２を上方に回動させることによって、これに連動して肘掛け３が上方へ移動し、座部１の上面からの肘掛け３の高さが高くなるように肘掛け３の高さを調節することができるものである。
【００３２】
また、この椅子では、背もたれ２を所定の傾斜角度にまで倒していくにしたがって、背もたれ２の回動と連動して頭部支持部６が座部１側に近づくように頭部支持部６の傾斜角度が調節され、背もたれ２を所定の傾斜角度以上に倒すと背もたれ２が平坦化するように頭部支持部６の傾斜角度が調節されるものである。すなわち、背もたれ２を起立状態から下方に回動して倒していくと、リンク材３６と背もたれ２の相対角度が変わってリンク機構５の支点３７が頭部支持部６の連結点４０に対して相対的に前側に移動していくことになり、この結果、図４（ａ）に示すように、引張りワイヤ３９にて頭部支持部６が引張られることになって、頭部支持部６は関節部２２を軸として座部１側に近づくように前側に回動することになり、背もたれ本体２１に対する頭部支持部６の傾斜角度が調節されるものである。そして、このように座部１側に近づくように頭部支持部６の傾斜角度が調節されるので、身体の頭部が頭部支持部６で座部１側に近づくように押圧されて持ち上がることになり、テレビ等が見やすくなるものである。
【００３３】
また、背もたれ２を所定の傾斜角度以上に倒すと、図４（ｂ）に示すように、倒れピン２５が引張りワイヤ３９で引張られて倒れることになり、この結果、引張りワイヤ３９による頭部支持部６の引張りが解放されることになって、頭部支持部６は関節部２２を軸として座部１から遠ざかるように後側に回動することになり、背もたれ本体２１に対する頭部支持部６の傾斜角度が調節されるものである。そして、このように座部１から遠ざかるように頭部支持部６の傾斜角度が調節されるので、背もたれ本体２１に対する頭部支持部６の傾斜角度がほぼ１８０°となって、背もたれ２が平坦化するものであり、くつろぎ感を向上させることができるものである。尚、頭部支持部６が後側に回動して背もたれ２が平坦化する際の背もたれ２の所定の傾斜角度は任意に設定することができ、この所定の傾斜角度で倒れピン２５が倒れるように、貫通孔３０の位置や固定部材２６に対する可動部材２７の枢着位置を設定するものである。
【００３４】
図１、図２に示す椅子において、足載せ台７はその側端部が肘掛け３の前方に位置するように形成するのが好ましい。すなわち、図５（ａ）に示すように、足載せ台７の幅寸法Ｗ１を座部１の幅寸法Ｗ２と背もたれ２の幅寸法Ｗ３よりも大きく形成するのが好ましい。このように足載せ台７の幅寸法Ｗ１を座部１の幅寸法Ｗ２と背もたれ２の幅寸法Ｗ３よりも大きく形成すると、図５（ｂ）に示すように、背もたれ２を最も下側にまで回動させてフルリクライニングすると共に足載せ台７を最も上側にまで回動させた状態にして座部１と背もたれ２と足載せ台７がほぼ平坦化するフルフラット状態にし、身体を椅子の上に横たわらせる（寝る）ようにした場合に、足の動きが大きくても足載せ台７から足を外れにくくすることができるものである。
【００３５】
尚、本発明の椅子をマッサージ機として用いる場合は背もたれ２や足載せ台７にマッサージ治具を内蔵させるようにする。
【図面の簡単な説明】
【００３６】
【図１】本発明の実施の形態の一例を示す側面図である。
【図２】同上の参考例を示す側面図である。
【図３】同上の倒れピンを示す分解斜視図である。
【図４】（ａ）（ｂ）は同上の頭部支持部の動きを示す説明図である。
【図５】（ａ）は同上の平面図、（ｂ）は側面図である。
【符号の説明】
【００３７】
１  座部
２  背もたれ
３  肘掛け
５  リンク機構
６  頭部支持部
７  足載せ台
２５  倒れピン
３０  貫通孔
３７  支点
３９  引張りワイヤ
４０  連結部
【図１】
2006204959.tif 000003
【図２】
2006204959.tif 000004
【図３】
2006204959.tif 000005
【図４】
2006204959.tif 000006
【図５】
2006204959.tif 000007